(57)【要約】【課題】プラズマディスプレイパネルの性能を充分に発揮しうるプラズマディスプレイパネル駆動装置等を提供する。【解決手段】サステイン期間においてプラズマディスプレイパネル１０に向けて駆動パルスを出力する行電極Ｘ駆動回路２８と、平均輝度レベルを検出する平均輝度レベル検出部２５と、個々の放電セルの輝度レベルを検出する輝度レベル検出部２６とを備える。制御回路２７では、平均輝度レベル検出部２５により検出された平均輝度レベルおよび輝度レベル検出部２６により検出された個々の放電セルの輝度レベルに基づいてパルス電圧Ｖｓｕｓを変化させるように行電極Ｘ駆動回路２８を制御する。【選択図】      図１
2004294572.tif 000002
【特許請求の範囲】
【請求項１】
発光セルを設定するアドレス期間と、前記アドレス期間において設定された発光セルを繰り返し発光させるサステイン期間とを設けることにより階調表示を実行するプラズマディスプレイパネル駆動装置において、
前記サステイン期間においてプラズマディスプレイパネルに向けて駆動パルスを出力するパルス出力手段と、
平均輝度レベルを検出する第１の輝度レベル検出手段と、
個々の放電セルの輝度レベルを検出する第２の輝度レベル検出手段と、
前記第１の輝度レベル検出手段により検出された前記平均輝度レベルおよび前記第２の輝度レベル検出手段により検出された前記個々の放電セルの輝度レベルに基づいて駆動パルスの電圧を変化させるように前記パルス出力手段を制御するパルス電圧制御手段と、
を備えることを特徴とするプラズマディスプレイパネル駆動装置。
【請求項２】
前記パルス電圧制御手段は、前記第１の輝度レベル検出手段により検出された前記平均輝度レベルが所定レベルよりも低く、かつ前記第２の輝度レベル検出手段により検出された前記個々の放電セルの輝度レベルが所定レベルよりも高い場合に前記駆動パルスの電圧を上昇させるように前記パルス出力手段を制御することを特徴とする請求項１に記載のプラズマディスプレイパネル駆動装置。
【請求項３】
前記パルス電圧制御手段は、前記第１の輝度レベル検出手段により検出された前記平均輝度レベルが所定レベルよりも低い場合に、前記第２の輝度レベル検出手段により検出された前記個々の放電セルの輝度レベルに応じて前記駆動パルスの電圧を上昇させるように前記パルス出力手段を制御することを特徴とする請求項１に記載のプラズマディスプレイパネル駆動装置。
【発明の詳細な説明】
【０００１】
【発明の属する技術分野】
本発明は、発光セルを設定するアドレス期間と、アドレス期間において設定された発光セルを所定回数発光させるサステイン期間とを設けることにより表示を実行するプラズマディスプレイパネル駆動装置に関する。
【０００２】
【従来の技術】
壁電荷を形成することにより発光セルを設定するアドレス期間と、アドレス期間において発光セルに設定された放電セルのみを選択的に繰り返し発光させるサステイン期間とを組み合わせて、階調表示を実行するプラズマディスプレイ駆動装置が知られている。このようなプラズマディスプレイパネル駆動装置では、１フィールド内におけるサステイン期間における駆動パルス数、すなわち発光回数を変化させることにより、対応する放電セルの発光輝度を変化させている。
【０００３】
【発明が解決しようとする課題】
しかし、階調表示を実行するためには、１フィールド内で一連の処理を実行する必要があり、サステイン期間における発光回数を増加させることには、時間的な制約に基づく限界がある。このため、プラズマディスプレイパネルが本来備えている性能を輝度の面で充分に発揮できない可能性がある。
【０００４】
本発明は、上記事情に鑑みてなされたものであり、プラズマディスプレイパネルの性能を充分に発揮しうるプラズマディスプレイパネル駆動装置等を提供することを目的とする。
【０００５】
【課題を解決するための手段】
請求項１に記載の発明は、発光セルを設定するアドレス期間と、前記アドレス期間において設定された発光セルを所定回数発光させるサステイン期間とを設けることにより階調表示を実行するプラズマディスプレイパネル駆動装置において、前記サステイン期間においてプラズマディスプレイパネルに向けて駆動パルスを出力するパルス出力手段と、平均輝度レベルを検出する第１の輝度レベル検出手段と、個々の放電セルの輝度レベルを検出する第２の輝度レベル検出手段と、前記第１の輝度レベル検出手段により検出された前記平均輝度レベルおよび前記第２の輝度レベル検出手段により検出された前記個々の放電セルの輝度レベルに基づいて駆動パルスの電圧を変化させるように前記パルス出力手段を制御するパルス電圧制御手段と、を備えることを特徴とする。
【０００６】
【発明の実施の形態】
以下、図１〜図５を参照して、本発明によるプラズマディスプレイパネル駆動装置の一実施形態について説明する。
【０００７】
図１は本実施形態のプラズマディスプレイパネル駆動装置１００の構成を示すブロック図である。図１に示すように、プラズマディスプレイパネル駆動装置１００は、入力された映像信号を多階調表示のための信号に変換する多階調化処理部２１と、多階調化処理部２１から出力された信号を後述するサブフィールドごとのデータに変換するＳＦデータ変換部２２と、ＳＦデータ変換部２２から出力されたデータを順次格納するフレームメモリ２３と、映像信号に基づいて映像全体の平均輝度を検出する平均輝度検出部２５と、映像信号に基づいて個々の放電セルの輝度を検出するとともに、その中の最大輝度ＬＸを抽出する輝度検出部２６と、フレームメモリ２３から順次読み出されたデータを平均輝度検出部２５から出力された平均輝度Ｌおよび輝度検出部２６からの情報に基づいて変換し、駆動パルスを発生させるための制御データを生成する制御回路２７と、制御回路２７からの制御データに従って、後述する行電極Ｘ１〜Ｘｎを駆動する行電極Ｘ駆動回路２８と、制御回路２７からの制御データに従って、後述する行電極Ｙ１〜Ｙｎを駆動する行電極Ｙ駆動回路２９と、制御回路２７からの制御データに従って、後述する列電極Ｄ１〜Ｄｍを駆動する列電極駆動回路３０と、を備える。
【０００８】
図１に示すように、プラズマディスプレイパネル１０は、互いに平行に設けられた列電極Ｄ１〜Ｄｍと、列電極Ｄ１〜Ｄｍに直交して設けられた行電極Ｘ１〜Ｘｎと、行電極Ｙ１〜Ｙｎとを備える。行電極Ｘ１〜Ｘｎおよび行電極Ｙ１〜Ｙｎは交互に配置され、一対の行電極Ｘｉ（１≦ｉ≦ｎ）および行電極Ｙｉ（１≦ｉ≦ｎ）により第ｉ番目の表示ラインを構成する。列電極Ｄ１〜Ｄｍおよび行電極Ｘ１〜Ｘｎ，Ｙ１〜Ｙｎは、放電ガスを封着するように対向する２枚の基板に、それぞれ形成されており、列電極Ｄ１〜Ｄｍと、一対の行電極Ｘ１〜Ｘｎおよび行電極Ｙ１〜Ｙｎとの交点に表示画素となる放電セルが構成される。
【０００９】
次に、図２および図３を参照して、本実施形態のプラズマディスプレイパネル駆動装置１００の動作について説明する。
【００１０】
プラズマディスプレイパネル１０を駆動する期間としての１フィールドは、複数のサブフィールドＳＦ１〜ＳＦＮにより構成される。図２に示すように、各サブフィールドには、点灯させる放電セルを選択するアドレス期間と、そのアドレス期間において選択されたセルを所定時間点灯させ続けるサステイン期間とが設けられている。また、最初のサブフィールドであるＳＦ１の先頭部分には、前のフィールドでの点灯状態をリセットするためのリセット期間が設けられている。このリセット期間では、すべてのセルを発光セル（壁電荷が形成されているセル）に、または非発光セル（壁電荷が形成されていないセル）にリセットする。前者の場合には、後続のアドレス期間において所定のセルを非発光セルに切り換え、後者の場合には、後続のアドレス期間において所定のセルを発光セルに切り換える。サステイン期間はサブフィールドＳＦ１〜ＳＦＮの順に段階的に長くされており、点灯させ続けるサブフィールドの個数を変化させることにより、所定の階調表示が可能とされている。
【００１１】
図３に示す各サブフィールドのアドレス期間では、１ラインごとにアドレス走査が行われる。すなわち、第１のラインを構成する行電極Ｙ１に走査パルスが印加されると同時に、列電極Ｄ１〜Ｄｍに第１のラインのセルに対応するアドレスデータに応じたデータパルスＤＰ１が印加され、次に第２のラインを構成する行電極Ｙ２に走査パルスが印加されると同時に、列電極Ｄ１〜Ｄｍに第２のセルに対応するアドレスデータに応じたデータパルスＤＰ２が印加される。第３のライン以下についても同様に走査パルスおよびデータパルスＤ３が同時に印加される。最後に、第ｎのラインを構成する行電極Ｙｎに走査パルスが印加されると同時に、列電極Ｄ１〜Ｄｍに第ｎのラインのセルに対応するアドレスデータに応じたデータパルスＤＰｎが印加される。上記のようにアドレス期間では、所定のセルを発光セルから非発光セルに、または非発光セルから発光セルに切り換える。
【００１２】
このようにしてアドレス走査が終了すると、サブフィールドにおけるすべてのセルが、それぞれ発光セルあるいは非発光セルのいずれかに設定されており、次のサステイン期間においてサステインパルスが印加されるごとに発光セルのみ発光を繰り返す。図３に示すように、サステイン期間では行電極Ｘ１〜Ｘｎおよび行電極Ｙ１〜Ｙｎに対し、ＸサステインパルスおよびＹサステインパルスが、それぞれ所定のタイミングで繰り返し印加される。そして、最後のサブフィールドＳＦＮには、全セルを非発光セルに設定する消去期間が設けられている。
【００１３】
図４は、サステイン期間におけるサステインパルス数、およびサステイン期間において行電極Ｘ１〜Ｘｎに印加されるサステインパルスのパルス電圧Ｖｓｕｓを、平均輝度レベルとの関係で示す図である。サステインパルス数およびパルス電圧Ｖｓｕｓは制御回路２７における処理によって制御される。
【００１４】
図４に示すサステインパルス数は、１フィールドにおける発光回数の最大値を示している。この数は、１フィールドに含まれるすべてのサステイン期間で特定の放電セルが発光を繰り返した場合における、その放電セルの発光回数に相当する。
【００１５】
図４に示すように、サステインパルス数は平均輝度検出部２５において検出された平均輝度レベルＬに応じて変化する。これは高輝度時における消費電力の増大やパネル温度の上昇、あるいは駆動回路の負担を抑制するためである。図４に示すように、平均輝度レベルＬがＬｍｉｎ以下のときには、サステインパルス数は抑制されることなく、映像信号に基づく各画素の輝度に応じたサステインパルス数が維持される。しかし、平均輝度レベルＬがＬｍｉｎよりも大きい時には、平均輝度レベルＬが大きくなるほど、サステインパルス数を減少させるようにしている。
【００１６】
また、本実施形態では、制御回路２７において、行電極Ｘ駆動回路２８から出力されるパルス電圧Ｖｓｕｓを、平均輝度検出部２５において検出された平均輝度レベルＬに応じて変化させている。
【００１７】
図５は、行電極Ｘ駆動回路２８から出力されるパルス電圧Ｖｓｕｓを制御する制御回路２７での処理を示すフローチャートである。図５に示すように、この処理では、パルス電圧Ｖｓｕｓの初期値を最小値Ｖｍｉｎに設定する（ステップＳ１）。次に、平均輝度検出部２５において検出された平均輝度レベルＬがＬｍｉｎ以下であるか否か判断し（ステップＳ２）、判断が肯定された場合には、輝度検出部２６から個々の放電セルの輝度のうちの最大輝度ＬＸを取得する（ステップＳ３）。一方、ステップＳ２の判断が否定された場合には、パルス電圧Ｖｓｕｓの電圧をＶｍｉｎに設定して（ステップＳ６）、ステップＳ５へ進む。
【００１８】
次に、ステップＳ４では、ステップＳ３で取得された最大輝度ＬＸに基づいてパルス電圧Ｖｓｕｓを算出し、パルス電圧Ｖｓｕｓを算出値に設定する。この場合、パルス電圧Ｖｓｕｓの値はＶｍｉｎ以上、Ｖｍａｘ以下の値となる。例えば、最大輝度ＬＸが所定の輝度よりも低い場合には、パルス電圧Ｖｓｕｓの電圧を増加させることなく、Ｖｍｉｎのまま維持する。また、最大輝度ＬＸが非常に大きい場合には、パルス電圧ＶｓｕｓをＶｍａｘに設定する。最大輝度ＬＸがそれらの間であった場合には、その輝度に応じてパルス電圧ＶｓｕｓはＶｍｉｎとＶｍａｘとの間の値に設定される。
【００１９】
次に、ステップＳ５では、次のフィールドの処理に以降するタイミングを待って、ステップＳ２へ戻り、次のフィールドについて同様の処理を繰り返す。
【００２０】
ところで、上記ステップＳ４において最大輝度ＬＸがある程度大きく、パルス電圧ＶｓｕｓをＶｍｉｎよりも大きな電圧に設定する場合とは、平均輝度Ｌが小さく（ステップＳ２：ＹＥＳ）、かつ最大輝度ＬＸがある程度大きい場合である。つまり、映像面全体としては暗い領域が多いが、特定の部分だけ非常に、あるいはある程度明るい映像の場合が、この場合に該当する。
【００２１】
このように、本実施形態では、特定の部分だけ明るい映像の表示を実行する場合に、パルス電圧Ｖｓｕｓを増加させることにより、明るい部分の輝度を高めることができる。このため、プラズマディスプレイパネルの性能を最大限に引き出すことができる。
【００２２】
また、一般に、サステインパルスの電圧を変化させると、１つのサステインパルス当たりの輝度が変化するため、表示映像における輝度のリニアリティーに影響を与えることになる。しかし、本実施形態では、平均輝度が低い場合にのみパルス電圧Ｖｓｕｓを増加させているので、輝度のリニアリティーの劣化が目立つことなく、事実上、画質の劣化を感じさせることがない。
【００２３】
上記実施形態では、平均輝度ＬがＶｍｉｎ以下の場合に、パルス電圧Ｖｓｕｓを最大輝度ＬＸに応じた値に設定する例について示したが、本発明によるプラズマディスプレイパネル駆動装置は、このような例に限定されることはない。サステインパルスの電圧値を輝度検出部２６から得られる他の情報に基づいて設定することもでき、また、平均輝度Ｌを異なる方法で取り扱うこともできる。
【００２４】
さらに、上記実施形態では、Ｘサステインパルスの電圧を変化させる例を示したが、Ｙサステインパルスの電圧を変化させてもよいし、両者のサステインパルスの電圧を同時に変化させてもよい。
【００２５】
なお、上記実施形態および特許請求の範囲の記載について、行電極Ｘ駆動回路２８が「パルス出力手段」に、平均輝度検出部２５が「第１の輝度レベル検出手段」に、輝度検出部２６が「第２の輝度レベル検出手段」に、制御回路２７が「パルス電圧制御手段」に、それぞれ対応する。
【図面の簡単な説明】
【図１】本実施形態のプラズマディスプレイパネル駆動装置１００の構成を示すブロック図。
【図２】１フィールドの構成を示す図。
【図３】１サブフィールド内の駆動パルスを示す図。
【図４】サステインパルス数、およびパルス電圧Ｖｓｕｓを、平均輝度レベルとの関係で示す図。
【図５】パルス電圧Ｖｓｕｓを制御する制御回路での処理を示すフローチャート。
【符号の説明】
２５    平均輝度検出部（第１の輝度レベル検出手段）
２６    輝度検出部（第２の輝度レベル検出手段）
２７    制御回路（パルス電圧制御手段）
２８    行電極Ｘ駆動回路（パルス出力手段）
【図１】
2004294572.tif 000003
【図２】
2004294572.tif 000004
【図３】
2004294572.tif 000005
【図４】
2004294572.tif 000006
【図５】
2004294572.tif 000007